(57)【要約】      （修正有）【課題】包装用包袋において、これに装入する商品等の位置決め固定並びに開口部の封止を同時に行うことができるとともに、環境に与える負荷性を低減するとともに構造が簡素で、しかも経済性に富む包装用包袋および綴じ込み用包装用包袋を提供する。【解決手段】商品等の装入用開口部２３側に包装用包袋の表紙１０と裏紙１１に封止片３，４を設けるとともに一方の封止片３に商品等のストッパー５を設けるとともに他方の封止片４に前記ストッパー５の切欠穴７に装入して係合する連結片８を設けることにより構成した。【選択図】図１
2006137443.tif 000002
【特許請求の範囲】
【請求項１】
商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設けることにより構成したことを特徴とする包装用包袋。
【請求項２】
前記連結片は、前記ストッパーの切欠穴の横幅より若干長く形成することにより構成したことを特徴とする請求項１記載の包装用包袋。
【請求項３】
前記ストッパーは、扇形状のストッパーにて形成するとともに前記連結片は、前記扇形状のストッパーの切欠穴の底辺の長さより若干短めの横幅と、前記扇形状のストッパーの切欠穴との係合部を備える長方形状の連結片にて形成することにより構成したことを特徴とする請求項１記載の包装用包袋。
【請求項４】
前記表裏用の封止片は、
表裏いずれか一方の封止片の長さを他方の封止片より短く形成することにより表裏用の封止片を離反し易くして、商品等の装入を容易にすることができるように構成したことを特徴とする請求項１〜３記載の包装用包袋。
【請求項５】
前記包装用包袋の表裏紙のいずれか一方に、装入される商品等の透視窓を設けることにより構成したことを特徴とする請求項１〜４記載記載の包装用包袋。
【請求項６】
商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じ込みしろ部を設けることにより構成したことを特徴とする包装用包袋。
【請求項７】
商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じしろ部を設けるとともに前記封止片には、切り取り用のミシン目を刻設することにより構成したことを特徴とする包装用包袋。
【請求項８】
前記連結片は、前記ストッパーの切欠穴の横幅より若干長く形成することにより構成したことを特徴とする請求項６または７記載の包装用包袋。
【請求項９】
前記ストッパーは、
扇形状のストッパーにて形成するとともに前記連結片は、前記扇形状のストッパーの切欠穴の底辺の長さより若干短めの横幅と、前記扇形状のストッパーの切欠穴との係合部を備える長方形状の連結片にて形成することにより構成したことを特徴とする請求項６〜８記載の包装用包袋。
【請求項１０】
前記表裏用の封止片は、
表裏いずれか一方の封止片の長さを他方の封止片より短く形成することにより表裏用の封止片を離反し易くして、商品等の装入を容易にすることができるように構成したことを特徴とする請求項６〜９記載の包装用包袋。
【発明の詳細な説明】
【技術分野】
【０００１】
本発明は、商品、例えばフィルム状、板状の写真、ファイル、絵ハガキ、バンドエイド、あるいは薄板状の文具類、教材等の商品並びに広告用ビラあるいはパンフレット類さらには、サンプルあるいはサービス用の食品、例えばお茶、チョコレート、ガム、その他の薄板状の食品類等の包装用並びにこれらの商品等を雑誌中等の必要な書類中に綴じ込むことの可能な包装用包袋に関するものである。
【背景技術】
【０００２】
従来ＣＤ−ＲＯＭを搬送あるいは販売並びに携行する場合等に当たっては、ＣＤ−ＲＯＭの保護も兼ねてこれを装入する包装状のＣＤケースが使用されている。例えば、その一例として図２０に示す如く封筒本体１０２をクラフト紙にて形成するとともに窓部１０４を、前面板１０３に開口した丸窓１０６にグラシンフィルム１１３を貼着して形成することにより構成したＣＤレーベル用窓付封筒１００が実用化されている（特許文献１参照）。
【０００３】
又、この封筒タイプの製袋系のＣＤケース１００に替えて、ボール紙の２ヶ所を貼着した箱状の製函系のＣＤケースも実用化されている。
【０００４】
そして、最近の雑誌中にはＣＤ−ＲＯＭが綴じ込まれるケースが増加しており、その綴じ込み用ＣＤケースとしては、ビニールあるいはポリプロピレン等の合成樹脂製のケースが使用されている。
【０００５】
又、合成樹脂のケースに替えて図２２、図２３に示す通り、ケース１３０を紙製材料にて袋状に形成するとともにこのケース１３０内にＣＤ１０９を装入し、ケース１３０の裏面１３２に両面テープ１３３を貼着することにより、この両面テープ１３３を介して雑誌の所要の綴じ込みページに貼着して綴じ込む構成のものが実施されている。
【０００６】
さらに、これに対して、雑誌の綴じ込み部に綴じ込む為の綴じ込みしろを設けた図２４〜２７に示す構成のＣＤケース１３４，１４０が使用されている。
【０００７】
図２４，図２５のＣＤケース１３４の場合には、製袋系（封筒状）ケースの形状のもので、ＣＤ１０９を装入する開口部１３６側に綴じ込みしろ１３５を突設し、開口部１３６より、ＣＤ１０９を装入した後、開口部１３６を封止用シール１３７にて封止した後、開口部１３６を封止用シール１３７にて封止した状態にて綴じ込みしろ１３５を雑誌の綴じ込み部に綴じ込むことにより使用する。
【０００８】
尚、図中１３８，１３９はケースのサイド片を示すものである。
【０００９】
次に図２６，図２７のＣＤケース１４０は製函系（段ボール紙の２カ所を貼着した箱状）ケースから成るものである。
ＣＤケース１４０の開口部１４６側に綴じ込みしろ１４１を突設したもので、この開口部１４６よりＣＤ１０９を装入した後、開口部１４６を封止用シール１４７にて封止した状態にて綴じ込みしろ１４１を雑誌の綴じ込み部に綴じ込むことにより使用する。
【００１０】
又、ＣＤケース１４０の函型部分は段ボール台紙１４２の折り込み部１４３を折り返して、開口部１４６を残して他の２カ所のサイド部１４４，１４５をのり止めすることにより函型のＣＤケース部を形成したものである。
【００１１】
さらに、前記図２２〜２７の綴じ込み用ＣＤケースに替えて、出願人は図２８に示す綴じ込み用ＣＤケースを提案している（特許出願１参照）。
【００１２】
すなわち、この綴じ込み用ＣＤケース２００はＣＤ装入用開口部２２３側にＣＤケース２００の表紙２０７と裏紙２０８の綴じ込みしろ２０３、２０４を設けるとともに、綴じ込みしろ２０４を綴じ込みしろ２０３より短く形成し、かつこの綴じ込みしろ２０４にＣＤ封止片２０５を設けることにより構成したものである。
【特許文献１】特開２００４−３５１１３号公報
【特許文献２】特願２００４−２９８１０３号
【発明の開示】
【発明が解決しようとする課題】
【００１３】
さて、前記した従来使用されているＣＤケース１００内にＣＤ１０９を装入した後、これを封止する場には、ＣＤケース１００のＣＤ１０９を装入する開口部に設けられた蓋片１０５の裏面にあらかじめ両面テープ１０７を貼着しておく。当該ＣＤケース１００内にＣＤ１０９を装入後、蓋片１０５にてＣＤケース１００を封止するに先立って、両面テープ１０７の表面側のテープを剥離後、蓋片１０５を折り返しつつＣＤケース１００の裏面１０８上に重合し、両面テープ１０７をこの裏面１０８に貼着することにより封止する。
【００１４】
しかるに、かかる構成のＣＤケース１００の封止方法においては、ＣＤケース１００自体が安価であるのに比較して、両面テープ１０７の材料費に加えてこれを蓋片１０５に貼着する工程並びに両面テープ１０７の剥離紙を剥離して、これを貼着する作業工程と作業費が価格に加算される結果、封止費用の方がＣＤケース１００自体の価格より高くなってしまう欠点を有するものであった。
【００１５】
しかも、前記製函系のＣＤケースにおいても、前記製袋系のＣＤケース１００以上に作業性上、経済性に乏しいものである。
【００１６】
さて、これに加えて前記綴じ込み用ＣＤケースの場合、前記した合成樹脂系のＣＤケースを綴じ込んだ場合には、雑誌を古紙として再生する場合に問題となり不適当である。
【００１７】
又、同様にして図２２，２３の場合にも両面テープ１３３が古紙リサイクル協会の規定における禁忌品Ｂ類に当たり、使用は回避したいものになる。
【００１８】
しかも両面テープ１３３の貼着自体の作業と工賃が必要となり、価格が高くなる欠点もある。
【００１９】
さらに、図２４〜２７の製袋系と製函系のＣＤケース１３４、１４０の場合にもＣＤ１０９の装入用の開口部１３６，１４６を封止する封止用シール１３７，１４７の貼着の作業と工賃が要求されるのと同時に、この封止用シール１３７，１４７が古紙の再生上の欠点となるもので、環境に与える負荷性、材料費、作業と工賃からの経済性の点において、欠点を有するものである。
【００２０】
尚、図２６，２７の場合の製函系のものはＣＤ１０９の装入部分となる箱状ケースを形成するのに２カ所のサイド片部１４４，１４５ののり止めに使用するのり自体にも環境上の問題点を有する。
【００２１】
そして、図２８の綴じ込み用ＣＤケース２００の場合には、前記ＣＤケース１００，１３４，１４０の欠点を解消し得るものである。又、ＣＤ１０９を封止片２０５により固定することができるが、この封止片２０５のみによるＣＤ１０９の固定が、ＣＤ１０９の装入作業工程あるいは、装入後の搬送工程における衝撃等により、位置ズレするおそれがある。
【００２２】
因って、本発明は前記従来のＣＤケースおよび綴じ込み用ＣＤケースさらには、ＣＤ以外の板状並びにこれらに類似する商品等の包装における欠点に鑑みて開発されたもので、装入したＣＤを的確に固定でき、しかも環境に与える負荷性を低減するとともに構造が簡素でしかも経済性に富むＣＤケースおよび綴じ込み用ＣＤケースとして使用できる以外に、さらには、ＣＤ以外の板状並びにこれらに類似する商品等の包装にも使用できる包装用包袋の提供を目的とするものである。
【課題を解決するための手段】
【００２３】
本発明は、その目的を達成するため、その請求項１の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設けることにより構成したことを特徴とする。
【００２４】
又、請求項２の発明は、請求項１記載の包装用包袋の前記連結片を、前記ストッパーの切欠穴の横幅より若干長く形成することにより構成したことを特徴とする。
【００２５】
請求項３の発明は、請求項１記載の包装用包袋の前記ストッパーを、扇形状のストッパーにて形成するとともに前記連結片は、前記扇形状のストッパーの切欠穴の底辺の長さより若干短めの横幅と、前記扇形状のストッパーの切欠穴との係合部を備える長方形状の連結片にて形成することにより構成したことを特徴とする。
【００２６】
請求項４の発明は、請求項１〜３記載の包装用包袋の前記表裏用の封止片を、表裏いずれか一方の封止片の長さを他方の封止片より短く形成することにより表裏用の封止片を離反し易くして、ＣＤの装入を容易にすることができるように構成したことを特徴とする。
【００２７】
そして、請求項５の発明は、前記請求項１〜３記載の包装用包袋の表裏紙のいずれか一方を、装入されるＣＤの透視窓を設けることにより構成したことを特徴とする。
【００２８】
又、請求項６の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じ込みしろ部を設けることにより構成したことを特徴とする包装用包袋。
【００２９】
請求項７の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じしろ部を設けるとともに前記封止片には、切り取り用のミシン目を刻設することにより構成したことを特徴とする包装用包袋。
【００３０】
請求項８の発明は、請求項６または７記載の包装用包袋の前記連結片を、前記ストッパーの切欠穴の横幅より若干長く形成することにより構成したことを特徴とする。
【００３１】
請求項９の発明は、請求項６〜８記載の包装用包袋の前記ストッパーを、扇形状のストッパーにて形成するとともに前記連結片は、前記扇形状のストッパーの切欠穴の底皿の長さより若干短めの横幅と、前記扇形状のストッパーの切欠穴との係合部を備える長方形状の連結片にて形成することにより構成したことを特徴とする。
【００３２】
請求項１０の発明は、請求項６〜９記載の包装用包袋の前記表裏用の封止片を、表裏いずれか一方の封止片の長さを他方の封止片より短く形成することにより表利用の封止片を離反し易くして、ＣＤの装入を容易にすることができるように構成したことを特徴とする。
【発明の効果】
【００３３】
本発明によれば、商品等の包装用包袋において、商品等の装入用の開口部側に、表裏用の封止片あるいはこれに綴じ込みしろ部を具備するとともに、一方の封止片に商品等のストッパーを設け、他方の封止片に、前記ストッパーの切欠穴に装入して係合する連結片を設けることにより、これを商品等の固定手段並びに包装用包袋の封止手段を兼備するものとなして、商品等装入作業工程や商品等搬送工程における商品等のズレ、飛び出しを防止し、しかも環境に与える負荷性を低減するとともに構造が簡素で、しかも経済性に富む包装用包袋並びに雑誌等の書類に綴じ込むことのできる包装用包袋を提供することができる。
【発明を実施するための最良の形態】
【００３４】
以下、本発明の実施の形態を図面とともに説明する。
【実施例１】
【００３５】
図１〜８は本発明包装用包袋の実施例１を示すもので、図１は展開図、図２はこれにより製作した包装用包袋の表面図、図３は同裏面図、図４および図５は商品等の包装状態を示す包装用包袋の表面図、および裏面図、図６はストッパーと連結片による商品等の係止及び封止状態を示す拡大断面図、図７はストッパーによる商品等の係止状態、図８は連結片による封止状態を示す説明図である。
【００３６】
さて、本発明の包装用包袋１を制作する場合、図１に示す如く、図２、３の包装用包袋１を展開した状態にて、環境に悪影響を与えることにない紙素材（リサイクル可能である紙素材）、例えばクラフト紙等をプレスにより型抜きして制作する。
【００３７】
しかして、この型抜き体２には、図２，３に示す包装用包袋１の表紙１０、裏紙１１を設けるとともに表紙１０および裏紙１１の商品等３１の装入用の開口部２３には、それぞれ表裏２枚の封止片３，４を設ける。
【００３８】
また、封止片３には、包装用包袋１内に装入される商品等３１の位置決め用のストッパー５を切り込み６により形成するとともに封止片４には、前記位置決め用のストッパー５の切り込み６により生ずる切欠穴７に係合する、係合用の連結片８を、切り込み９により形成する。
【００３９】
そして、前記一方の封止片３のストッパー５は、扇形状に形成するとともに他方の封止片４の連結片８は長片状に形成したものである。
【００４０】
又、特に連結片８は、ストッパー５を内側に折り込んで包装用包袋１内に装入される商品等３１を位置決めした際に生ずる切欠穴７内に係合することができるように形成するもので、その横幅Ｌ１は、切欠穴７の底辺の長さｌ１より若干短い横幅とするとともに連結片８の長さＬ２は、ストッパー５の長さｌ２より長く形成することにより、連結片８をストッパー５の切欠穴７内に係合した際に、長さの長い連結片８の長辺部８ａが切欠穴７より突出して、これに係止する。長く形成することにより、封止片３，４を連結し、封止片３，４によって包装用包袋１内に装入した商品等３１をストッパー５にて位置決めしつつ開口部２３を封止することができるものである。
【００４１】
さらに、前記表紙１０の左右両側には裏紙１１の貼付片１２，１３を設ける。
また、封止片４の中央部には、凹部１４ａおよび左右両サイドにはテーパー１４ｂを設けてある。
【００４２】
前記型抜き体２の型抜き工程においては、ストッパー５および連結片８を形成するための切り込み６および９を同時に刻設することができるものである。
【００４３】
そこで、この型抜き体２の折り返し線１５より裏紙１１側を表紙１０側に折り返して重ねた後、表紙１０の両サイドの貼付片１２，１３を折り返し線１６より折り返して、これを裏紙１１に貼付けることにより包装用包袋１を制作することができる（図２，３参照）。
【００４４】
因て、以上の構成から成る包装用包袋１を使用する場合には、包装用包袋１の開口部２３より包装用包袋１内に商品等３１を装入する。この際、商品等３１の開口部２３よりの装入は、封止片３，４を開いて装入することになるが、その開口操作は、凹部１４ａを介して両封止片３，４の開口を容易にすることができる。
【００４５】
しかる後、包装用包袋１内に装入した商品等３１を、前記ストッパー５を内側に折り込みつつ商品等３１の開口部２３側の周辺部に沿って当て付けることにより、位置決めしながら係止する（図４，７参照）。
【００４６】
これに加えて、封止片４の連結片８を封止片３の、前記ストッパー５を内側に折り込むことにより生じた切欠穴７中に差し込みつつ係合する。
【００４７】
すなわち、連結片８の横幅Ｌ１および長さＬ２は、前記したように、連結片８は、ストッパー５を内側に折り込んで包装用包袋１内に装入される商品等３１を位置決めした際に生ずる切欠穴７内に係合することができるように形成するもので、その横幅Ｌ１は、切欠穴７の底辺の長さｌ１より若干短い横幅とするとともに連結片８の長さＬ２は、ストッパー５の長さｌ２より長く形成することにより、連結片８をストッパー５の切欠穴７内に係合した際に、長さの長い連結片８の長辺部８ａが切欠穴７より突出して、これに係止する。長く形成することにより、封止片３，４を連結し、封止片３，４によって包装用包袋１内に装入した商品等３１をストッパー５にて位置決めしつつ開口部２３を封止することができるものである。
【００４８】
因て、封止片３のストッパー５による包装用包袋１内における商品等３１の位置決めと連結片８の切欠穴７の係合によって、包装用包袋１内に装入した商品等３１を固定することができるとともに封止片３，４をストッパー５、連結片８によって連結しつつ、包装用包袋１の開口部２３を封止することができる。（図４〜８参照）。
【００４９】
これにより、包装用包袋１内に包装した商品等３１が袋詰め作業工程中の振動によって、商品等３１が包装用包袋１内にて位置ズレしたり、あるいは包装用包袋１内より飛び出してしまったりするのを完全に防止することができる。
【００５０】
又、包装用包袋１の開口部２３の封止を両面テープを使用して封止する従来の方法の場合におけるリサイクルの障害をなくすことができる。
【００５１】
尚、連結片８を切欠穴７に係合する場合には、連結片８の長辺部８ａが切欠穴７に係合するようにするもので、これを切欠穴７に差し込む際に長辺部８ａを折り曲げてしまわないように注意する必要がある。
【００５２】
また、図７は、包装用包袋１の裏紙１１を取り除いた状態にて商品等３１の係止と位置決め状態を示したものである。尚、以上の説明において商品等３１としては、商品、例えばフィルム状、板状の写真、ファイル、絵ハガキ、バンドエイド、あるいは薄板状の文具類、教材等の商品並びに広告用ビラあるいはパンフレット類さらには、サンプルあるいはサービス用の食品、例えばお茶、チョコレート、ガム、その他の薄板状の食品類等を示すものである。以下の各実施例についても同様である。
【実施例２】
【００５３】
図９〜１１は本発明の実施例２を示すもので、図９は、包装用包袋の展開図、図１０，１１は商品等を包装した状態を示す包装用包袋の表面図および裏面図である。
【００５４】
しかして、図９〜１１の包装用包袋４０の実施例は実施例１の包装用包袋１において、特に表紙１０に、包装用包袋４０内に装入した商品等３１を透視することができるように構成した場合の実施例である。
【００５５】
さらに、表紙１０には装入した商品等３１を透視する丸窓１７を開口するとともにこれにグラシンフィルム１８を貼着した構成を図示している（図１０参照）。
【００５６】
したがって、前記丸窓１７の形成に当たっては、型抜き体４２（図９参照）の型抜きと同時に形成することが可能である。
【００５７】
そして、丸窓１７に貼着するグラシンフィルム１８の貼着は、図１０の包装用包袋１の形成作業に関連して作業することになる。使用する貼着のりはリサイクルに悪影響のないものを使用する。
【００５８】
さて、図９の型抜き体４２の工程並びにその包装用包袋４０の製作工程については、実施例１と同様であるとともに、図１０，１１における商品等３１の装入並びに包装方法と封止方法についても実施例１と同様の方法によるもので、詳細な説明を省略する。
【００５９】
又、構成についても図中、図９〜１１には実施例１と同一構成は同一番号を付して説明を省略する。
【実施例３】
【００６０】
図１２は本発明の実施例３を示すもので、包装用包袋の裏面図である。
【００６１】
図１２における包装用包袋４１の実施例は包装用包袋４１の裏紙１１に形成する封止片４の形状中、前記実施例１，２の場合はその長さを表紙１０に形成する封止片３と略同一長さに形成したが、当該実施例の場合には、封止片３より短く形成することにより、構成した場合を示すものである。
【００６２】
かかる構成により、商品等３１を包装用包袋４１内に装入する際の、封止片３，４の開口操作を封止片４の中央部に設けた凹部１４ａあるいはテーパー１４ｂによる封止片３，４間の押し開き作業の操作を一方の封止片３より短い封止片４により容易に遂行することができるように構成したものである。
【００６３】
この構成は、封止片３，４のいずれか一方の封止片の長さを短くすることによって同一の作用効果を得られるもので、図１２の実施例に限られない。
【００６４】
又、包装用包袋４１の他の構成については、実施例１の構成と同一の構成により実施するもので、図示による説明を省略する。
【００６５】
そして、商品等３１の固定と封止片３，４のストッパー５および連結片８による封止方法についても同様で、その説明も省略する。
【実施例４】
【００６６】
図１３ａ，ｂは本発明の実施例４を示すもので、図１３ａは包装用包袋の表面図、図１３ｂは同裏面図である。
【００６７】
図１３ａ，ｂにおける包装用包袋４３の実施例は包装用包袋４３の裏紙１１に形成する封止片４の形状中、前記実施例１，２の場合はその長さを表し１０に形成する封止片３と略同一長さに形成したが、当該実施例の場合には、封止片３より短く形成することにより、構成した場合を示すものである。又、包装用包袋４３の表紙１０には商品等の透視窓（丸窓）１７ を設けたものである。
【００６８】
かかる構成により、商品等３１を包装用包袋４３内に装入する際の、封止片３，４の開口操作を封止片４の中央部に設けた凹部１４ａあるいはテーパー１４ｂによる封止片３，４間の押し開き作業の操作を一方の封止片３より短い封止片４により容易に遂行することができるように構成したものである。
【００６９】
この構成は、封止片３，４のいずれか一方の封止片の長さを短くすることによって同一の作用効果を得られるもので、図１３の実施例に限られない。
【００７０】
又、包装用包袋４３の他の構成については、実施例１の構成と同一の構成により実施するもので、図示による説明を省略する。
【００７１】
そして、商品等３１の固定と封止片３，４のストッパー５および連結片８による封止方法についても同様で、その説明も省略する。
【００７２】
尚、透視窓（丸窓）１７の構成は前記実施例２と同様の構成により形成することができる。
【実施例５】
【００７３】
図１４〜１６は、本発明の実施例５を示すもので、図１４は包装用包袋の展開図、図１５ａ，ｂは包装用包袋の表面図および裏面図、図１６は雑誌中に綴じ込んだ状態を示す説明図である。
【００７４】
図１４〜１６に示す包装用包袋５０の場合には、前記実施例１〜３における包装用包袋を雑誌の必要な頁中に綴じ込む場合の包装用包袋の実施例を示すものである。
【００７５】
しかして、図１４〜１６において、特に、封止片３，４における長さを、実施例１〜３の通常の包装用包袋１に比較して、若干長さを長目に（例えば、１ｃｍ長くする）に形成することにより封止片３，４に綴じ込みしろ部５１，５２を設けることにより形成したものである。
【００７６】
又、図１４の包装用包袋５０を製作する方法も同一であるので、同一構成は同一番号を付して説明を省略するとともに制作方法の説明を省略する。
【００７７】
さらに、本実施例５の場合には、封止片３，４と包装用包袋５０本体との切り離しができるように、切り取り用のミシン目５４を設けることにより構成してある。
【００７８】
以上の構成から成る包装用包袋５０を使用する場合には、親指と人差し指で、ＣＤ３１を挟み持ち、綴じ込みしろ３，４間より装入しつつ商品等３１を包装用包袋５０内に装入する。
【００７９】
しかる後、親指を包装用包袋５０内より抜き出し、親指にてストッパー５を内側に押し込みつつ、包装用包袋５０内の人差し指を使って、ストッパー５を包装用包袋５０内に装入した商品等３１の周縁に沿って折り返すことにより、ストッパー５にて商品等３１を係止しつつ位置決めしてセットする。
【００８０】
これを雑誌の所要のページに綴じ込む場合には図１６に示す如く、雑誌１９の綴じ込みページの綴じ込み部２０に包装用包袋５０の綴じ込みしろ部５１，５２を装入し、雑誌１９の綴じ込み部２０の綴じ込み作業と同時に綴じ込みしろ部５１，５２を綴じ込むことにより、綴じ込みしろ部５１，５２にて包装用包袋５０内に装入した商品等３１を封止した状態にて雑誌１９に商品等を綴じ込むことができる。
【００８１】
従って、包装用包袋１内に装入した商品等３１を封止する為の封止用シール等の作業および貼着シールを必要とせずに綴じ込むことができ、作業性、経済性を簡素、低減するとともに環境に与える負荷性をも低減することができる。
【００８２】
さらに、綴じ込みしろ部５１，５２間に商品等を装入する際一方の綴じ込みしろ部５１を短く形成すこるとにより、商品等３１の装入をする際の押し開き作業をスムースに行うことができ、商品等３１の装入作業を容易にすることができる。
【００８３】
又、この際、切り込み凹部１４ａあるいはテーパー１４ｂを介して、綴じ込みしろ部５１，５２間の押し開き作業をし易くすることができる。
【００８４】
そして、ストッパー５を折り込み商品等３１を係止しつつ固定することによって、商品等３１を包装用包袋５０内に位置決めすることができ、かつ連結片８の連結により雑誌１９の綴じ込み部２０に綴じ込みしろ部５１，５２を綴じ込む際に包装用包袋５０内に装入した商品等３１がズレて綴じ込みしろ部５１，５２に移動したりするのを防止することができる。
【００８５】
さらに、雑誌１９に閉じこんだ包装用包袋５０より商品等３１を取り出す際には、ミシン目５４を介して包装用包袋５０側を綴じ込み部２０より切り離すことによって、簡単に商品等３１を取り出すことができる。
【実施例６】
【００８６】
図１７〜１９は本発明の実施例６を示すもので、図１７は展開図、図１８は包装用包袋の表面図、図１９は同裏面図である。
【００８７】
本実施例６は、実施例５の包装用包袋５０の表紙１０に、この包装用包袋６０内に装入した商品等３１を透視する透視窓（丸窓）１７を設けた場合の実施例で、その他の構成は実施例５と同一で、同一番号を付して、その説明を省略し、かつ、型抜き体６３による包装用包袋６０の製作方法並びに商品等３１の固定方法さらには雑誌１９の綴じ込み部２０に対する綴じ込み方法は実施例５と同様であるので、その説明と図示は省略する。
【００８８】
又、実施例５，６についての包装用包袋５０，６０についても、前記実施例３，４の構成を具備した状態の包装用包袋による実施も当然可能であるが、これの具体的な説明と図示は省略する。
【００８９】
すなわち、前記包装用包袋５０，６０における封止片３，４の長さを、一方の長さより若干短く形成することにより実施するもので、ＣＤ３１の装入の際の封止片３，４間の押し開き操作をし易くすることができるものである。
【図面の簡単な説明】
【００９０】
【図１】実施例１を示す包装用包袋の展開図。
【図２】実施例１を示す包装用包袋の表面図。
【図３】実施例１を示す包装用包袋の裏面図。
【図４】実施例１の包装用包袋の包装状態を示す包装用包袋の表面図。
【図５】実施例１の包装用包袋の包装状態を示す包装用包袋の裏面図。
【図６】実施例１のストッパーと連結片による商品等の係止及び封止状態を示す拡大断面図。
【図７】実施例１のストッパーによる商品等の係止状態の説明図。
【図８】実施例１の連結片による封止状態を示す説明図。
【図９】実施例２を示す包装用包袋の展開図。
【図１０】実施例２を示す商品等を包装した状態を示す包装用包袋の表面図。
【図１１】実施例２を示す商品等を包装した状態を示す包装用包袋の裏面図。
【図１２】実施例３を示す包装用包袋の裏面図。
【図１３】図１３ａは実施例４を示す包装用包袋の表面図および図１３ｂは実施例４を示す包装用包袋の裏面図。
【図１４】実施例５を示す包装用包袋の展開図。
【図１５】図１５ａは実施例５を示す包装用包袋の表面図および図１５ｂは実施例５を示す包装用包袋の裏面図。
【図１６】実施例５の雑誌中に綴じ込んだ状態を示す説明図。
【図１７】実施例６を示す展開図。
【図１８】実施例６を示す包装用包袋の表面図。
【図１９】実施例６を示す包装用包袋の裏面図。
【図２０】従来のＣＤケースの表面図。
【図２１】従来のＣＤケースの裏面図。
【図２２】従来の綴じ込み用ＣＤケースの表面図。
【図２３】従来の綴じ込み用ＣＤケースの裏面図。
【図２４】従来の綴じ込み用ＣＤケースの表面図。
【図２５】従来の綴じ込み用ＣＤケースの裏面図。
【図２６】従来の綴じ込み用ＣＤケースの表面図。
【図２７】従来の綴じ込み用ＣＤケースの裏面図。
【図２８】先願の綴じ込み用ＣＤケースの裏面図。
【符号の説明】
【００９１】
１，５０，４０，６０    包装用包袋
２，４２，６３    型抜き体
３，４      封止片
５          ストッパー
６          切り込み
７          切欠穴
８          連結片
８ａ        長辺部
９          切り込み
１０        表紙
１１        裏紙
１１，１２  貼付片
１４ａ      切り込み凹部
１４ｂ      テーパー
１５，１６  折り返し線
１７        丸窓
１８        グラシンフィルム
１９        雑誌
２３        開口部
３１        商品等
【図１】
2006137443.tif 000003
【図２】
2006137443.tif 000004
【図３】
2006137443.tif 000005
【図４】
2006137443.tif 000006
【図５】
2006137443.tif 000007
【図６】
2006137443.tif 000008
【図７】
2006137443.tif 000009
【図８】
2006137443.tif 000010
【図９】
2006137443.tif 000011
【図１０】
2006137443.tif 000012
【図１１】
2006137443.tif 000013
【図１２】
2006137443.tif 000014
【図１３】
2006137443.tif 000015
【図１４】
2006137443.tif 000016
【図１５】
2006137443.tif 000017
【図１６】
2006137443.tif 000018
【図１７】
2006137443.tif 000019
【図１８】
2006137443.tif 000020
【図１９】
2006137443.tif 000021
【図２０】
2006137443.tif 000022
【図２１】
2006137443.tif 000023
【図２２】
2006137443.tif 000024
【図２３】
2006137443.tif 000025
【図２４】
2006137443.tif 000026
【図２５】
2006137443.tif 000027
【図２６】
2006137443.tif 000028
【図２７】
2006137443.tif 000029
【図２８】
2006137443.tif 000030
【手続補正書】
【提出日】平成17年6月10日(2005.6.10)
【手続補正１】
【補正対象書類名】明細書
【補正対象項目名】全文
【補正方法】変更
【補正の内容】
【発明の詳細な説明】
【技術分野】
【０００１】
本発明は、商品、例えばフィルム状、板状の写真、ファイル、絵ハガキ、バンドエイド、あるいは薄板状の文具類、教材等の商品並びに広告用ビラあるいはパンフレット類さらには、サンプルあるいはサービス用の食品、例えばお茶、チョコレート、ガム、その他の薄板状の食品類等の包装用並びにこれらの商品等を雑誌中等の必要な書類中に綴じ込むことの可能な包装用包袋に関するものである。
【背景技術】
【０００２】
従来ＣＤ−ＲＯＭを搬送あるいは販売並びに携行する場合等に当たっては、ＣＤ−ＲＯＭの保護も兼ねてこれを装入する包装状のＣＤケースが使用されている。例えば、その一例として図２２，２３に示す如く封筒本体１０２をクラフト紙にて形成するとともに窓部１０４を、前面板１０３に開口した丸窓１０６にグラシンフィルム１１３を貼着して形成することにより構成したＣＤレーベル用窓付封筒１００が実用化されている（特許文献１参照）。
【０００３】
又、この封筒タイプの製袋系のＣＤケース１００に替えて、ボール紙の２ヶ所を貼着した箱状の製函系のＣＤケースも実用化されている。
【０００４】
そして、最近の雑誌中にはＣＤ−ＲＯＭが綴じ込まれるケースが増加しており、その綴じ込み用ＣＤケースとしては、ビニールあるいはポリプロピレン等の合成樹脂製のケースが使用されている。
【０００５】
又、合成樹脂のケースに替えて図２４、図２５に示す通り、ケース１３０を紙製材料にて袋状に形成するとともにこのケース１３０内にＣＤ１０９を装入し、ケース１３０の裏面１３２に両面テープ１３３を貼着することにより、この両面テープ１３３を介して雑誌の所要の綴じ込みページに貼着して綴じ込む構成のものが実施されている。
【０００６】
さらに、これに対して、雑誌の綴じ込み部に綴じ込む為の綴じ込みしろを設けた図２４〜２７に示す構成のＣＤケース１３４，１４０が使用されている。
【０００７】
図２６，図２７のＣＤケース１３４の場合には、製袋系（封筒状）ケースの形状のもので、ＣＤ１０９を装入する開口部１３６側に綴じ込みしろ１３５を突設し、開口部１３６より、ＣＤ１０９を装入した後、開口部１３６を封止用シール１３７にて封止した後、開口部１３６を封止用シール１３７にて封止した状態にて綴じ込みしろ１３５を雑誌の綴じ込み部に綴じ込むことにより使用する。
【０００８】
尚、図中１３８，１３９はケースのサイド片を示すものである。
【０００９】
次に図２８，図２９のＣＤケース１４０は製函系（段ボール紙の２カ所を貼着した箱状）ケースから成るものである。
ＣＤケース１４０の開口部１４６側に綴じ込みしろ１４１を突設したもので、この開口部１４６よりＣＤ１０９を装入した後、開口部１４６を封止用シール１４７にて封止した状態にて綴じ込みしろ１４１を雑誌の綴じ込み部に綴じ込むことにより使用する。
【００１０】
又、ＣＤケース１４０の函型部分は段ボール台紙１４２の折り込み部１４３を折り返して、開口部１４６を残して他の２カ所のサイド部１４４，１４５をのり止めすることにより函型のＣＤケース部を形成したものである。
【００１１】
さらに、前記図２４〜２９の綴じ込み用ＣＤケースに替えて、出願人は図２８に示す綴じ込み用ＣＤケースを提案している（特許出願１参照）。
【００１２】
すなわち、この綴じ込み用ＣＤケース２００はＣＤ装入用開口部２２３側にＣＤケース２００の表紙２０７と裏紙２０８の綴じ込みしろ２０３、２０４を設けるとともに、綴じ込みしろ２０４を綴じ込みしろ２０３より短く形成し、かつこの綴じ込みしろ２０４にＣＤ封止片２０５を設けることにより構成したものである。
【特許文献１】特開２００４−３５１１３号公報
【特許文献２】特願２００４−２９８１０３号
【発明の開示】
【発明が解決しようとする課題】
【００１３】
さて、前記した従来使用されているＣＤケース１００内にＣＤ１０９を装入した後、これを封止する場には、ＣＤケース１００のＣＤ１０９を装入する開口部に設けられた蓋片１０５の裏面にあらかじめ両面テープ１０７を貼着しておく。当該ＣＤケース１００内にＣＤ１０９を装入後、蓋片１０５にてＣＤケース１００を封止するに先立って、両面テープ１０７の表面側のテープを剥離後、蓋片１０５を折り返しつつＣＤケース１００の裏面１０８上に重合し、両面テープ１０７をこの裏面１０８に貼着することにより封止する。
【００１４】
しかるに、かかる構成のＣＤケース１００の封止方法においては、ＣＤケース１００自体が安価であるのに比較して、両面テープ１０７の材料費に加えてこれを蓋片１０５に貼着する工程並びに両面テープ１０７の剥離紙を剥離して、これを貼着する作業工程と作業費が価格に加算される結果、封止費用の方がＣＤケース１００自体の価格より高くなってしまう欠点を有するものであった。
【００１５】
しかも、前記製函系のＣＤケースにおいても、前記製袋系のＣＤケース１００以上に作業性上、経済性に乏しいものである。
【００１６】
さて、これに加えて前記綴じ込み用ＣＤケースの場合、前記した合成樹脂系のＣＤケースを綴じ込んだ場合には、雑誌を古紙として再生する場合に問題となり不適当である。
【００１７】
又、同様にして図２２，２３の場合にも両面テープ１３３が古紙リサイクル協会の規定における禁忌品Ｂ類に当たり、使用は回避したいものになる。
【００１８】
しかも両面テープ１３３の貼着自体の作業と工賃が必要となり、価格が高くなる欠点もある。
【００１９】
さらに、図２４〜２７の製袋系と製函系のＣＤケース１３４、１４０の場合にもＣＤ１０９の装入用の開口部１３６，１４６を封止する封止用シール１３７，１４７の貼着の作業と工賃が要求されるのと同時に、この封止用シール１３７，１４７が古紙の再生上の欠点となるもので、環境に与える負荷性、材料費、作業と工賃からの経済性の点において、欠点を有するものである。
【００２０】
尚、図２６，２７の場合の製函系のものはＣＤ１０９の装入部分となる箱状ケースを形成するのに２カ所のサイド片部１４４，１４５ののり止めに使用するのり自体にも環境上の問題点を有する。
【００２１】
そして、図２８の綴じ込み用ＣＤケース２００の場合には、前記ＣＤケース１００，１３４，１４０の欠点を解消し得るものである。又、ＣＤ１０９を封止片２０５により固定することができるが、この封止片２０５のみによるＣＤ１０９の固定が、ＣＤ１０９の装入作業工程あるいは、装入後の搬送工程における衝撃等により、位置ズレするおそれがある。
【００２２】
因って、本発明は前記従来のＣＤケースおよび綴じ込み用ＣＤケースさらには、ＣＤ以外の板状並びにこれらに類似する商品等の包装における欠点に鑑みて開発されたもので、装入したＣＤを的確に固定でき、しかも環境に与える負荷性を低減するとともに構造が簡素でしかも経済性に富むＣＤケースおよび綴じ込み用ＣＤケースとして使用できる以外に、さらには、ＣＤ以外の板状並びにこれらに類似する商品等の包装にも使用できる包装用包袋の提供を目的とするものである。
【課題を解決するための手段】
【００２３】
本発明は、その目的を達成するため、その請求項１の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設けることにより構成したことを特徴とする。
【００２４】
又、請求項２の発明は、請求項１記載の包装用包袋の前記連結片を、前記ストッパーの切欠穴の横幅より若干長く形成することにより構成したことを特徴とする。
【００２５】
請求項３の発明は、請求項１記載の包装用包袋の前記ストッパーを、扇形状のストッパーにて形成するとともに前記連結片は、前記扇形状のストッパーの切欠穴の底辺の長さより若干短めの横幅と、前記扇形状のストッパーの切欠穴との係合部を備える長方形状の連結片にて形成することにより構成したことを特徴とする。
【００２６】
請求項４の発明は、請求項１〜３記載の包装用包袋の前記表裏用の封止片を、表裏いずれか一方の封止片の長さを他方の封止片より短く形成することにより表裏用の封止片を離反し易くして、ＣＤの装入を容易にすることができるように構成したことを特徴とする。
【００２７】
そして、請求項５の発明は、前記請求項１〜３記載の包装用包袋の表裏紙のいずれか一方を、装入されるＣＤの透視窓を設けることにより構成したことを特徴とする。
【００２８】
又、請求項６の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じ込みしろ部を設けることにより構成したことを特徴とする包装用包袋。
【００２９】
請求項７の発明は、商品等の包装用包袋において、商品等の装入用の開口部に、表裏用の封止片を設けるとともに一方の封止片に前記装入後の商品等のストッパーを設け、他方の封止片に、前記ストッパーの切欠穴に装入して係合する連結片を設け、さらに、前記表裏用の封止片には、雑誌等の書類との綴じしろ部を設けるとともに前記封止片には、切り取り用のミシン目を刻設することにより構成したことを特徴とする包装用包袋。
【００３０】
請求項８の発明は、請求項６または７記載の包装用包袋の前記連結片を、前記ストッパーの切欠穴の横幅より若干長く形成することにより構成したことを特徴とする。
【００３１】
請求項９の発明は、請求項６〜８記載の包装用包袋の前記ストッパーを、扇形状のストッパーにて形成するとともに前記連結片は、前記扇形状のストッパーの切欠穴の底皿の長さより若干短めの横幅と、前記扇形状のストッパーの切欠穴との係合部を備える長方形状の連結片にて形成することにより構成したことを特徴とする。
【００３２】
請求項１０の発明は、請求項６〜９記載の包装用包袋の前記表裏用の封止片を、表裏いずれか一方の封止片の長さを他方の封止片より短く形成することにより表利用の封止片を離反し易くして、ＣＤの装入を容易にすることができるように構成したことを特徴とする。
【発明の効果】
【００３３】
本発明によれば、商品等の包装用包袋において、商品等の装入用の開口部側に、表裏用の封止片あるいはこれに綴じ込みしろ部を具備するとともに、一方の封止片に商品等のストッパーを設け、他方の封止片に、前記ストッパーの切欠穴に装入して係合する連結片を設けることにより、これを商品等の固定手段並びに包装用包袋の封止手段を兼備するものとなして、商品等装入作業工程や商品等搬送工程における商品等のズレ、飛び出しを防止し、しかも環境に与える負荷性を低減するとともに構造が簡素で、しかも経済性に富む包装用包袋並びに雑誌等の書類に綴じ込むことのできる包装用包袋を提供することができる。
【発明を実施するための最良の形態】
【００３４】
以下、本発明の実施の形態を図面とともに説明する。
【実施例１】
【００３５】
図１〜８は本発明包装用包袋の実施例１を示すもので、図１は展開図、図２はこれにより製作した包装用包袋の表面図、図３は同裏面図、図４および図５は商品等の包装状態を示す包装用包袋の表面図、および裏面図、図６はストッパーと連結片による商品等の係止及び封止状態を示す拡大断面図、図７はストッパーによる商品等の係止状態、図８は連結片による封止状態を示す説明図である。
【００３６】
さて、本発明の包装用包袋１を制作する場合、図１に示す如く、図２、３の包装用包袋１を展開した状態にて、環境に悪影響を与えることにない紙素材（リサイクル可能である紙素材）、例えばクラフト紙等をプレスにより型抜きして制作する。
【００３７】
しかして、この型抜き体２には、図２，３に示す包装用包袋１の表紙１０、裏紙１１を設けるとともに表紙１０および裏紙１１の商品等３１の装入用の開口部２３には、それぞれ表裏２枚の封止片３，４を設ける。
【００３８】
また、封止片３には、包装用包袋１内に装入される商品等３１の位置決め用のストッパー５を切り込み６により形成するとともに封止片４には、前記位置決め用のストッパー５の切り込み６により生ずる切欠穴７に係合する、係合用の連結片８を、切り込み９により形成する。
【００３９】
そして、前記一方の封止片３のストッパー５は、扇形状に形成するとともに他方の封止片４の連結片８は長片状に形成したものである。
【００４０】
又、特に連結片８は、ストッパー５を内側に折り込んで包装用包袋１内に装入される商品等３１を位置決めした際に生ずる切欠穴７内に係合することができるように形成するもので、その横幅Ｌ１は、切欠穴７の底辺の長さｌ１より若干短い横幅とするとともに連結片８の長さＬ２は、ストッパー５の長さｌ２より長く形成することにより、連結片８をストッパー５の切欠穴７内に係合した際に、長さの長い連結片８の長辺部８ａが切欠穴７より突出して、これに係止する。長く形成することにより、封止片３，４を連結し、封止片３，４によって包装用包袋１内に装入した商品等３１をストッパー５にて位置決めしつつ開口部２３を封止することができるものである。
【００４１】
さらに、前記表紙１０の左右両側には裏紙１１の貼付片１２，１３を設ける。
また、封止片４の中央部には、凹部１４ａおよび左右両サイドにはテーパー１４ｂを設けてある。
【００４２】
前記型抜き体２の型抜き工程においては、ストッパー５および連結片８を形成するための切り込み６および９を同時に刻設することができるものである。
【００４３】
そこで、この型抜き体２の折り返し線１５より裏紙１１側を表紙１０側に折り返して重ねた後、表紙１０の両サイドの貼付片１２，１３を折り返し線１６より折り返して、これを裏紙１１に貼付けることにより包装用包袋１を制作することができる（図２，３参照）。
【００４４】
因て、以上の構成から成る包装用包袋１を使用する場合には、包装用包袋１の開口部２３より包装用包袋１内に商品等３１を装入する。この際、商品等３１の開口部２３よりの装入は、封止片３，４を開いて装入することになるが、その開口操作は、凹部１４ａを介して両封止片３，４の開口を容易にすることができる。
【００４５】
しかる後、包装用包袋１内に装入した商品等３１を、前記ストッパー５を内側に折り込みつつ商品等３１の開口部２３側の周辺部に沿って当て付けることにより、位置決めしながら係止する（図４，７参照）。
【００４６】
これに加えて、封止片４の連結片８を封止片３の、前記ストッパー５を内側に折り込むことにより生じた切欠穴７中に差し込みつつ係合する。
【００４７】
すなわち、連結片８の横幅Ｌ１および長さＬ２は、前記したように、連結片８は、ストッパー５を内側に折り込んで包装用包袋１内に装入される商品等３１を位置決めした際に生ずる切欠穴７内に係合することができるように形成するもので、その横幅Ｌ１は、切欠穴７の底辺の長さｌ１より若干短い横幅とするとともに連結片８の長さＬ２は、ストッパー５の長さｌ２より長く形成することにより、連結片８をストッパー５の切欠穴７内に係合した際に、長さの長い連結片８の長辺部８ａが切欠穴７より突出して、これに係止する。長く形成することにより、封止片３，４を連結し、封止片３，４によって包装用包袋１内に装入した商品等３１をストッパー５にて位置決めしつつ開口部２３を封止することができるものである。
【００４８】
因て、封止片３のストッパー５による包装用包袋１内における商品等３１の位置決めと連結片８の切欠穴７の係合によって、包装用包袋１内に装入した商品等３１を固定することができるとともに封止片３，４をストッパー５、連結片８によって連結しつつ、包装用包袋１の開口部２３を封止することができる。（図４〜８参照）。
【００４９】
これにより、包装用包袋１内に包装した商品等３１が袋詰め作業工程中の振動によって、商品等３１が包装用包袋１内にて位置ズレしたり、あるいは包装用包袋１内より飛び出してしまったりするのを完全に防止することができる。
【００５０】
又、包装用包袋１の開口部２３の封止を両面テープを使用して封止する従来の方法の場合におけるリサイクルの障害をなくすことができる。
【００５１】
尚、連結片８を切欠穴７に係合する場合には、連結片８の長辺部８ａが切欠穴７に係合するようにするもので、これを切欠穴７に差し込む際に長辺部８ａを折り曲げてしまわないように注意する必要がある。
【００５２】
また、図７は、包装用包袋１の裏紙１１を取り除いた状態にて商品等３１の係止と位置決め状態を示したものである。尚、以上の説明において商品等３１としては、商品、例えばフィルム状、板状の写真、ファイル、絵ハガキ、バンドエイド、あるいは薄板状の文具類、教材等の商品並びに広告用ビラあるいはパンフレット類さらには、サンプルあるいはサービス用の食品、例えばお茶、チョコレート、ガム、その他の薄板状の食品類等を示すものである。以下の各実施例についても同様である。
【実施例２】
【００５３】
図９〜１１は本発明の実施例２を示すもので、図９は、包装用包袋の展開図、図１０，１１は商品等を包装した状態を示す包装用包袋の表面図および裏面図である。
【００５４】
しかして、図９〜１１の包装用包袋４０の実施例は実施例１の包装用包袋１において、特に表紙１０に、包装用包袋４０内に装入した商品等３１を透視することができるように構成した場合の実施例である。
【００５５】
さらに、表紙１０には装入した商品等３１を透視する丸窓１７を開口するとともにこれにグラシンフィルム１８を貼着した構成を図示している（図１０参照）。
【００５６】
したがって、前記丸窓１７の形成に当たっては、型抜き体４２（図９参照）の型抜きと同時に形成することが可能である。
【００５７】
そして、丸窓１７に貼着するグラシンフィルム１８の貼着は、図１０の包装用包袋１の形成作業に関連して作業することになる。使用する貼着のりはリサイクルに悪影響のないものを使用する。
【００５８】
さて、図９の型抜き体４２の工程並びにその包装用包袋４０の製作工程については、実施例１と同様であるとともに、図１０，１１における商品等３１の装入並びに包装方法と封止方法についても実施例１と同様の方法によるもので、詳細な説明を省略する。
【００５９】
又、構成についても図中、図９〜１１には実施例１と同一構成は同一番号を付して説明を省略する。
【実施例３】
【００６０】
図１２は本発明の実施例３を示すもので、包装用包袋の裏面図である。
【００６１】
図１２における包装用包袋４１の実施例は包装用包袋４１の裏紙１１に形成する封止片４の形状中、前記実施例１，２の場合はその長さを表紙１０に形成する封止片３と略同一長さに形成したが、当該実施例の場合には、封止片３より短く形成することにより、構成した場合を示すものである。
【００６２】
かかる構成により、商品等３１を包装用包袋４１内に装入する際の、封止片３，４の開口操作を封止片４の中央部に設けた凹部１４ａあるいはテーパー１４ｂによる封止片３，４間の押し開き作業の操作を一方の封止片３より短い封止片４により容易に遂行することができるように構成したものである。
【００６３】
この構成は、封止片３，４のいずれか一方の封止片の長さを短くすることによって同一の作用効果を得られるもので、図１２の実施例に限られない。
【００６４】
又、包装用包袋４１の他の構成については、実施例１の構成と同一の構成により実施するもので、図示による説明を省略する。
【００６５】
そして、商品等３１の固定と封止片３，４のストッパー５および連結片８による封止方法についても同様で、その説明も省略する。
【実施例４】
【００６６】
図１３ａ，ｂは本発明の実施例４を示すもので、図１３ａは包装用包袋の表面図、図１３ｂは同裏面図である。
【００６７】
図１３ａ，ｂにおける包装用包袋４３の実施例は包装用包袋４３の裏紙１１に形成する封止片４の形状中、前記実施例１，２の場合はその長さを表し１０に形成する封止片３と略同一長さに形成したが、当該実施例の場合には、封止片３より短く形成することにより、構成した場合を示すものである。又、包装用包袋４３の表紙１０には商品等の透視窓（丸窓）１７ を設けたものである。
【００６８】
かかる構成により、商品等３１を包装用包袋４３内に装入する際の、封止片３，４の開口操作を封止片４の中央部に設けた凹部１４ａあるいはテーパー１４ｂによる封止片３，４間の押し開き作業の操作を一方の封止片３より短い封止片４により容易に遂行することができるように構成したものである。
【００６９】
この構成は、封止片３，４のいずれか一方の封止片の長さを短くすることによって同一の作用効果を得られるもので、図１３の実施例に限られない。
【００７０】
又、包装用包袋４３の他の構成については、実施例１の構成と同一の構成により実施するもので、図示による説明を省略する。
【００７１】
そして、商品等３１の固定と封止片３，４のストッパー５および連結片８による封止方法についても同様で、その説明も省略する。
【００７２】
尚、透視窓（丸窓）１７の構成は前記実施例２と同様の構成により形成することができる。
【実施例５】
【００７３】
図１４〜１６は、本発明の実施例５を示すもので、図１４は包装用包袋の展開図、図１５ａ，ｂは包装用包袋の表面図および裏面図、図１６は雑誌中に綴じ込んだ状態を示す説明図である。
【００７４】
図１４〜１６に示す包装用包袋５０の場合には、前記実施例１〜３における包装用包袋を雑誌の必要な頁中に綴じ込む場合の包装用包袋の実施例を示すものである。
【００７５】
しかして、図１４〜１６において、特に、封止片３，４における長さを、実施例１〜３の通常の包装用包袋１に比較して、若干長さを長目に（例えば、１ｃｍ長くする）に形成することにより封止片３，４に綴じ込みしろ部５１，５２を設けることにより形成したものである。
【００７６】
又、図１４の包装用包袋５０を製作する方法も同一であるので、同一構成は同一番号を付して説明を省略するとともに制作方法の説明を省略する。
【００７７】
さらに、本実施例５の場合には、封止片３，４と包装用包袋５０本体との切り離しができるように、切り取り用のミシン目５４を設けることにより構成してある。
【００７８】
以上の構成から成る包装用包袋５０を使用する場合には、親指と人差し指で、ＣＤ３１を挟み持ち、綴じ込みしろ３，４間より装入しつつ商品等３１を包装用包袋５０内に装入する。
【００７９】
しかる後、親指を包装用包袋５０内より抜き出し、親指にてストッパー５を内側に押し込みつつ、包装用包袋５０内の人差し指を使って、ストッパー５を包装用包袋５０内に装入した商品等３１の周縁に沿って折り返すことにより、ストッパー５にて商品等３１を係止しつつ位置決めしてセットする。
【００８０】
これを雑誌の所要のページに綴じ込む場合には図１６に示す如く、雑誌１９の綴じ込みページの綴じ込み部２０に包装用包袋５０の綴じ込みしろ部５１，５２を装入し、雑誌１９の綴じ込み部２０の綴じ込み作業と同時に綴じ込みしろ部５１，５２を綴じ込むことにより、綴じ込みしろ部５１，５２にて包装用包袋５０内に装入した商品等３１を封止した状態にて雑誌１９に商品等を綴じ込むことができる。
【００８１】
従って、包装用包袋１内に装入した商品等３１を封止する為の封止用シール等の作業および貼着シールを必要とせずに綴じ込むことができ、作業性、経済性を簡素、低減するとともに環境に与える負荷性をも低減することができる。
【００８２】
さらに、綴じ込みしろ部５１，５２間に商品等を装入する際一方の綴じ込みしろ部５１を短く形成すこるとにより、商品等３１の装入をする際の押し開き作業をスムースに行うことができ、商品等３１の装入作業を容易にすることができる。
【００８３】
又、この際、切り込み凹部１４ａあるいはテーパー１４ｂを介して、綴じ込みしろ部５１，５２間の押し開き作業をし易くすることができる。
【００８４】
そして、ストッパー５を折り込み商品等３１を係止しつつ固定することによって、商品等３１を包装用包袋５０内に位置決めすることができ、かつ連結片８の連結により雑誌１９の綴じ込み部２０に綴じ込みしろ部５１，５２を綴じ込む際に包装用包袋５０内に装入した商品等３１がズレて綴じ込みしろ部５１，５２に移動したりするのを防止することができる。
【００８５】
さらに、雑誌１９に閉じこんだ包装用包袋５０より商品等３１を取り出す際には、ミシン目５４を介して包装用包袋５０側を綴じ込み部２０より切り離すことによって、簡単に商品等３１を取り出すことができる。
【実施例６】
【００８６】
図１７〜１９は本発明の実施例６を示すもので、図１７は展開図、図１８は包装用包袋の表面図、図１９は同裏面図である。
【００８７】
本実施例６は、実施例５の包装用包袋５０の表紙１０に、この包装用包袋６０内に装入した商品等３１を透視する透視窓（丸窓）１７を設けた場合の実施例で、その他の構成は実施例５と同一で、同一番号を付して、その説明を省略し、かつ、型抜き体６３による包装用包袋６０の製作方法並びに商品等３１の固定方法さらには雑誌１９の綴じ込み部２０に対する綴じ込み方法は実施例５と同様であるので、その説明と図示は省略する。
【００８８】
又、実施例５，６についての包装用包袋５０，６０についても、前記実施例３，４の構成を具備した状態の包装用包袋による実施も当然可能であるが、これの具体的な説明と図示は省略する。
【００８９】
すなわち、前記包装用包袋５０，６０における封止片３，４の長さを、一方の長さより若干短く形成することにより実施するもので、ＣＤ３１の装入の際の封止片３，４間の押し開き操作をし易くすることができるものである。
【００９０】
尚以上の実施例１〜６における包装用包袋内に商品等を装入して、封止する方法については、ストッパーにて、装入した商品等を係止しつつ封止する場合について説明してきた。
しかるに、作業効率上、あるいは装入する商品等の内容上許容される範囲内の場合には、ストッパーにて係止することなく封止して使用することも可能である。
【００９１】
すなわち、実施例１〜６における構成から成る包装用包袋において、これを簡易に封止しつつ使用する場合の実施例について、図２０，２１により説明する。
図２０，２１は実施例１における包装用包袋１の場合について開示するもので、この包装用包袋１内に商品等３１を装入した後、ストッパー５を商品等３１に沿って折り込みこれによる係止作業を省略する。
そして、連結片８を切欠穴７に差し込み封止するものである。
【００９２】
図２１から明らかな通り、この簡易な封止方法による場合には、ストッパー５による係止作業を省略して作業効率を向上することができる。
たとえば、連結片８を切欠穴７に指で押し込む操作だけの、ワンタッチにて封止作業を完了することが可能である。
しかるにストッパー５による係止がされない為に、図２１においても明らかな如く、商品等３１と開口部間に２〜３ｍｍ程度の遊びが生じてしまう。
しかし、この為に商品等３１が包装用包袋１の外に飛び出し、はみ出しは連結片８の切欠穴７への係合により阻止することが可能である。
【００９３】
因って、以上のような商品等３１の放送状態が許容範囲のものである場合には、実施例１〜６の包装用包袋において、図２０，２１の封止方法による実施も勿論となる。
【図面の簡単な説明】
【００９４】
【図１】実施例１を示す包装用包袋の展開図。
【図２】実施例１を示す包装用包袋の表面図。
【図３】実施例１を示す包装用包袋の裏面図。
【図４】実施例１の包装用包袋の包装状態を示す包装用包袋の表面図。
【図５】実施例１の包装用包袋の包装状態を示す包装用包袋の裏面図。
【図６】実施例１のストッパーと連結片による商品等の係止及び封止状態を示す拡大断面図。
【図７】実施例１のストッパーによる商品等の係止状態の説明図。
【図８】実施例１の連結片による封止状態を示す説明図。
【図９】実施例２を示す包装用包袋の展開図。
【図１０】実施例２を示す商品等を包装した状態を示す包装用包袋の表面図。
【図１１】実施例２を示す商品等を包装した状態を示す包装用包袋の裏面図。
【図１２】実施例３を示す包装用包袋の裏面図。
【図１３】図１３ａは実施例４を示す包装用包袋の表面図および図１３ｂは実施例４を示す包装用包袋の裏面図。
【図１４】実施例５を示す包装用包袋の展開図。
【図１５】図１５ａは実施例５を示す包装用包袋の表面図および図１５ｂは実施例５を示す包装用包袋の裏面図。
【図１６】実施例５の雑誌中に綴じ込んだ状態を示す説明図。
【図１７】実施例６を示す展開図。
【図１８】実施例６を示す包装用包袋の表面図。
【図１９】実施例６を示す包装用包袋の裏面図。
【図２０】実施例１〜６以外の封止方法を示す包装用包袋の裏面図
【図２１】封止状態を示す拡大断面図
【図２２】従来のＣＤケースの表面図。
【図２３】従来のＣＤケースの裏面図。
【図２４】従来の綴じ込み用ＣＤケースの表面図。
【図２５】従来の綴じ込み用ＣＤケースの裏面図。
【図２６】従来の綴じ込み用ＣＤケースの表面図。
【図２７】従来の綴じ込み用ＣＤケースの裏面図。
【図２８】従来の綴じ込み用ＣＤケースの表面図。
【図２９】従来の綴じ込み用ＣＤケースの裏面図。
【図３０】先願の綴じ込み用ＣＤケースの裏面図。
【符号の説明】
【００９５】
１，５０，４０，６０    包装用包袋
２，４２，６３    型抜き体
３，４      封止片
５          ストッパー
６          切り込み
７          切欠穴
８          連結片
８ａ        長辺部
９          切り込み
１０        表紙
１１        裏紙
１１，１２  貼付片
１４ａ      切り込み凹部
１４ｂ      テーパー
１５，１６  折り返し線
１７        丸窓
１８        グラシンフィルム
１９        雑誌
２３        開口部
３１        商品等
【手続補正２】
【補正対象書類名】図面
【補正対象項目名】全図
【補正方法】変更
【補正の内容】
【図１】
2006137443.tif 000031
【図２】
2006137443.tif 000032
【図３】
2006137443.tif 000033
【図４】
2006137443.tif 000034
【図５】
2006137443.tif 000035
【図６】
2006137443.tif 000036
【図７】
2006137443.tif 000037
【図８】
2006137443.tif 000038
【図９】
2006137443.tif 000039
【図１０】
2006137443.tif 000040
【図１１】
2006137443.tif 000041
【図１２】
2006137443.tif 000042
【図１３】
2006137443.tif 000043
【図１４】
2006137443.tif 000044
【図１５】
2006137443.tif 000045
【図１６】
2006137443.tif 000046
【図１７】
2006137443.tif 000047
【図１８】
2006137443.tif 000048
【図１９】
2006137443.tif 000049
【図２０】
2006137443.tif 000050
【図２１】
2006137443.tif 000051
【図２２】
2006137443.tif 000052
【図２３】
2006137443.tif 000053
【図２４】
2006137443.tif 000054
【図２５】
2006137443.tif 000055
【図２６】
2006137443.tif 000056
【図２７】
2006137443.tif 000057
【図２８】
2006137443.tif 000058
【図２９】
2006137443.tif 000059
【図３０】
2006137443.tif 000060